(57)【要約】      （修正有）【課題】着脱が容易なズボン及び繋ぎ服を提供する。【解決手段】股上後面の上端近傍より股部の最下端を経て股上前面の上端近傍まで延在するスライドファスナーにより股部が股上後面の上端近傍より始まって開かれるようになっていることを特徴とする。【選択図】図１
0003153850.tif 000002
【実用新案登録請求の範囲】
【請求項１】
股上後面の上端近傍より股部の最下端を経て股上前面の上端近傍まで延在するスライドファスナーにより股部が股上後面の上端近傍より始まって開かれるようになっていることを特徴とするズボン。
【請求項２】
前記スライドファスナーは第一及び第二の開閉金具により両端から開かれるダブルスライドファスナーであり、前記第二の開閉金具が股上前面の上端近傍に位置しているときズボンは前記第一の開閉金具により股上後面の上端近傍より始まって股部の最下端を経て股上前面の上端近傍まで開かれ、前記第一の開閉金具が股上後面の上端近傍に位置しているときズボンは前記第二の開閉金具により股上前面の上端近傍より始まって股部の最下端を経て股上後面の上端近傍まで開かれるようになっていることを特徴とする請求項１に記載のズボン。
【請求項３】
股上後面の上端近傍より股部の最下端を経て股上前面の上端近傍まで延在するスライドファスナーにより股部が股上後面の上端近傍より始まって開かれるようになっていることを特徴とする繋ぎ服。
【請求項４】
前記スライドファスナーは第一及び第二の開閉金具により両端から開かれるダブルスライドファスナーであり、前記第二の開閉金具が股上前面の上端近傍に位置しているときズボンは前記第一の開閉金具により股上後面の上端近傍より始まって股部の最下端を経て股上前面の上端近傍まで開かれ、前記第一の開閉金具が股上後面の上端近傍に位置しているときズボンは前記第二の開閉金具により股上前面の上端近傍より始まって股部の最下端を経て股上後面の上端近傍まで開かれるようになっていることを特徴とする請求項３に記載の繋ぎ服。
【考案の詳細な説明】
【技術分野】
【０００１】  本考案は、ズボン及び繋ぎ服に係り、特に股部をスライドファスナーにて開閉するズボン及び繋ぎ服に関する改良に係る。
【背景技術】
【０００２】  股上前面をスライドファスナーにて開閉するズボン及び繋ぎ服は既に広く常用されていて周知である。
【考案が解決しようとする課題】
【０００３】  ズボン及び繋ぎ服は、一般に股上前面が開閉されるようになっており、その開閉は、古くはボタンにより行われていたが、スライドファスナーの普及に伴って現在では殆どスライドファスナーによって行われている。股上前面の開閉は、ズボンや繋ぎ服の着脱を容易にすると共に、男性着用者には小用を足すための便宜を与える。
【０００４】  しかし、従来のズボン或いは繋ぎ服に於ける股上前面の開閉は、股部の最下端に達するかなり手前の位置にて終わっており、男性着用者が小用を足すにも股上前面の開き度が不十分であり、又女性着用者にとっては、ズボンの場合はさて置き、繋ぎ服の場合には股上前面のみの開閉では用足しのために何の役にも立たないことに鑑み、本件出願人と同一人は、特願平８−３２４７１９号にて、スライドファスナーによる股部の開閉が股上前面より始まって少なくとも股部の最下端まで、更には股部の最下端を越えて股上後面の上端近傍まで延在するズボン及び繋ぎ服を提案した。
【０００５】  上記の如く、ズボン或いは繋ぎ服の股部を、股部最下端を含み股上前面及び股上後面に及ぶ広い範囲に亙って、スライドファスナーにて開閉自在とすることについて、本件出願人は更に種々の試作を重ねた結果、股部全域に亘るスライドファスナーによる開閉は、それが股上後面より股上前面へ向けて開かれ又逆方向に閉じられるようにされることが、女性着用者にとってより便利であり、又男性着用者にとっても有効であることを見出した。
【０００６】  本考案は、上記の通り、ズボン及び繋ぎ服に於いて、股部の開閉は、股上後面より始まって股部の最下端を経て股上前面へ向けてなされるのが着用者特に女性着用者にとって便利であるとの観点と、その開閉がスライドファスナーにより行われれば着用者自身の指先によって容易になされることに鑑み、ズボン及び繋ぎ服をより便利な構造に改良することを課題としている。
【課題を解決するための手段】
【０００７】  上記の課題を解決するものとして、本発明は、股上後面の上端近傍より股部の最下端を経て股上前面の上端近傍まで延在するスライドファスナーにより股部が股上後面の上端近傍より始まって開かれるようになっていることを特徴とするズボン及び繋ぎ服を提案するものである。
【０００８】  かかる構成のズボン及び繋ぎ服によれば、スライドファスナーを股上後面の上端近傍より始まって股部の最下端を経て股上前面へかけて連続して開閉することにより、男女を問わず着用者の用足しに当たって、ズボン又は繋ぎ服を着用したままその股部を容易に任意の所望開度に大きく開くことができる。
【０００９】  更に又、上記の如く股部が股上後面の上端近傍より股部の最下端を経て股上前面の上端近傍までスライドファスナーにより股上後面の上端近傍より始まって開かれるように構成されたズボン或いは繋ぎ服に於いて、スライドファスナーは第一及び第二の開閉金具により両端から開かれるダブルスライドファスナーとされ、前記第二の開閉金具が股上前面の上端近傍に位置しているときズボン或いは繋ぎ服は前記第一の開閉金具により股上後面の上端近傍より始まって股部の最下端を経て股上前面の上端近傍まで開かれ、前記第一の開閉金具が股上後面の上端近傍に位置しているときズボンは前記第二の開閉金具により股上前面の上端近傍より始まって股部の最下端を経て股上後面の上端近傍まで開かれるように構成されてよい。
【００１０】  かかる構成によれば、股部が股上後面より始まって股上前面まで任意の大きさに開閉できることに加えて、男性着用者にとっては小用にあたって股上前面を上端近傍より始まって任意の大きさまで開閉することができ、男性着用者にとっては大小いずれの用足しに当たってもそれぞれに最も適した股部の開閉状態を得ることができる。
【考案を実施するための形態】
【００１１】  以下に添付の図を参照して、本考案を実施例について詳細に説明する。
【００１２】  図１は本考案によるズボンの一つの実施例を示す正面図であり、図示の如く正面の見掛けは従来からの通常のズボンと殆ど変わらない。図２は図１に示すズボンの上半部を拡大し且つより詳細に示す図であり、図３は図２に示す部分に対応する部分の背面図であり、図４は図２の線ＩＶ−ＩＶによる断面図、図５は図２の線Ｖ−Ｖによる断面の拡大図である。
【００１３】  これらの図より理解される通り、ズボン１０の股部を開閉するスライドファスナー１２はズボンの上端を縁取るベルト部１４の後面上端近傍に位置する始端１６より始まって股部の最下端１８を通り股上前面のベルト部１４の直下に位置する終端２０まで連続して延在している。２２はスライドファスナーの開閉を行う開閉金具である。
【００１４】  図５に示されている如く、ズボンの開閉部に対するスライドファスナーの取付け構造自身は従来の構造と同じであり、即ちズボンの開閉部は互いに重なり合う内側縁部２４と外側縁部２６とを備えており、それらの間に通常のスライドファスナー１２が噛合い歯２８を噛み合わせ、一方の帯片３０にてズボン開閉部の内側縁部２４に沿って又他方の帯片３２にてズボン開閉部の外側縁部２６に沿って縫い付けられている。
【００１５】  かくして指先にて開閉金具２２を掴んでこれを始端１６より終端２０へ向けて移動させれば、ズボンの股部は股上後面の上端近傍より始まって股部の最下端を通り股上前面の任意の所望位置まで大きく開かれる。股部の開閉に際しては、スライドファスナーの始端１６が股上後面に配置されていることにより、後ろ手にて開閉金具２２を掴む必要はあるが、開閉はスライドファスナーの金具を掴んで移動させるだけであるからズボンの着用者が自らの手で何ら困難なく容易に行える。このようにスライドファスナーによる股部開放の始端が股上後面の上端近傍に配置されていることにより、女性着用者は大小を問わず用足しに際してズボンを着用したまま必要箇所のみを簡便に開くことができる。男性着用者も大の用足しに際してズボンを着用したまま股部を股上後面の上端近傍より必要なだけ簡便に開くことができ、又必要箇所のみとは言えないが、小の用足しに際してもスライドファスナーを股上前面の所望の位置まで開くことにより、用足しが従来のズボンに比してより容易に行える。
【００１６】  図６は図１〜図５に示された実施例の一部を修正した実施例を示す図３と同様のズボン上半部の背面図である。図６に於いて、図３に示す部分に対応する部分は図３に於けると同じ符号により示されている。この実施例のズボン１０Ａに於いては、スライドファスナー１２はベルト部１４の下縁より下方に延在するように設けられており、ベルト部１４はその重なり部１５にて開放可能に作られており、該重なり部１５にてボタン１７により止め合わされている。スライドファスナー１２の始端１６の近傍に於いては、布材にはベルト部１４の下縁に沿って切り目１９が切り込まれており、これらの切り目によって開閉金具２２が図示の始端位置より下方へ引き下げられたときには、スライドファスナーにより開かれた開放開口は切り目１９に沿って両側に大きく拡がることができるようになっている。尚、２９はこれらの切り目１９の部分にて布材の内側よりこれに当てられた布片であり、ベルト部１４が重なり部１５にて解放されたとき内側にあるベルト部の下縁部に接続されている。
【００１７】  図７は更に図１〜図５に示された実施例の一部が修正された他の一つの実施例のズボン１０Ｂを示す図４と同様の断面図である。図７に於いて、図４に示す部分に対応する部分は図４に於けると同じ符号により示されている。この実施例に於いては、スライドファスナー１２Ａは開閉金具２２により股上後面の上端近傍にある始端１６から始まって開閉可能であると同時に、開閉金具２１により股上前面の上端近傍にある始端２３から始まって開閉可能なダブルスライドファスナーとして構成されている。スライドファスナー１２Ａがこのように二つの開閉金具を備え、両端から開放可能に構成されていることにより、このズボン１０Ｂは図１〜図５に示されたズボン１０と同様にその股部を股上後面の上端近傍より始まって股部の最下端を経て股上前面の上端近傍まで開くことができ、又一方、開閉金具２１により股上前面の上端近傍より始まって股部をその最下端を経て股上後面の上端近傍まで開くことができる。この実施例は特に男性着用者にとって便利である。
【００１８】  図８は図７に示されている実施例の一部を更に修正した他の一つの実施例のズボン１０Ｃを示す図７と同様の断面図である。図８に於いても、図７に示す部分に対応する部分は図７に於けると同じ符号により示されている。この実施例に於けるズボン１０Ｃは、ズボンの股上部の両側縁部の中央にスライドファスナー２５により開閉される開閉部を備えている。２７はスライドファスナー２５の開閉金具である。かかるスライドファスナー２５による側部開閉部が設けられていることにより、ズボンの着脱時にベルト部１４の部分を大きく弛めることができ、ズボンの着脱がより容易となる。
【００１９】  図９は本考案による繋ぎ服の一つの実施例を示す正面図であり、図１０はその背面図である。この実施例の繋ぎ服３４に於けるスライドファスナー１２Ｂは、図７及び図８に示すスライドファスナー１２Ａの如く開閉金具２１及び２２により股上前面の上端近傍と股上後面の上端近傍の両方より開閉可能となっているが、ただ開閉金具２１による開閉はベルト部１４の部分を含んで行われるようになっており、一方、開閉金具２２による開閉はベルト部１４の下縁まで行われるようになっている。繋ぎ服３４の上着部分の開閉はボタン３６により行われるようになっている。
【００２０】  図１１は本考案による繋ぎ服の他の一つの実施例を示す正面図であり、図１２はその背面図であり、図１３は図１１に於ける線ＸＩＩＩ−ＸＩＩＩによる断面図である。これらの図に於いて、図９及び図１０に示す部分に対応する部分は図９及び図１０に於けると同じ符号により示されている。図１１〜図１３に示す繋ぎ服３４Ａは、図９及び図１０に示す繋ぎ服３４に比して、上着の部分が袖無しであり、胸の中央が開閉構造には作られておらず、その代わりに腰から脇にかけて両側部にスライドファスナー３８による開閉部が設けられている点に於いて異なっている。４０はスライドファスナー３８の開閉金具であり、スライドファスナー３８による開閉部は上端から始まってベルト１４の部分を横切り下端まで開かれるようになっている。このように両側部にスライドファスナー３８による開閉部が設けられていることにより、着脱はこれらの開閉部を開くことにより容易に行える。
【００２１】  以上に於ては本考案をいくつかの実施例について詳細に説明したが、各請求項に記載した本考案の範囲内にて他に種々の実施例が可能であることは当業者にとって明らかであろう。
【図面の簡単な説明】
【図１】  本考案によるズボンの一つの実施例を示す正面図。
【図２】  図１に示されたズボンの上半部を拡大してより詳細に示す正面図。
【図３】  図２に示されたズボン上半部の背面図。
【図４】  図２に於ける線ＩＶ−ＩＶによる断面図。
【図５】  図２に於ける線Ｖ−Ｖによる断面の拡大図。
【図６】  本考案によるズボンの他の一つの実施例を示すズボン上半部の背面図。
【図７】  本考案によるズボンの更に他の一つの実施例を示すズボン上半部の縦断面図。
【図８】  本考案によるズボンの更に他の一つの実施例を示すズボン上半部の縦断面図。
【図９】  本考案による繋ぎ服の一つの実施例を示す正面図。
【図１０】  図９に示された繋ぎ服の背面図。
【図１１】  本発明による繋ぎ服の他の一つの実施例を示す正面図。
【図１２】  図１１に示された繋ぎ服の背面図。
【図１３】  図１１に於ける線ＸＩＩＩ−ＸＩＩＩによる断面図。
【符号の説明】      １０，１０Ａ，１０Ｂ，１０Ｃ…ズボン
１２，１２Ａ，１０Ｂ…スライドファスナー
１４…ベルト部
１５…ベルト重なり部
１６…スライドファスナーの始端
１７…ボタン
１８…股部の最下端
１９…切り目
２０…スライドファスナーの終端
２１，２２…開閉金具
２３…スライドファスナーの始端
２４…ズボンの開閉部の内側縁部
２５…スライドファスナー
２６…ズボンの開閉部の外側縁部
２７…開閉金具
２８…スライドファスナーの噛合い歯
２９…布片
３０，３２…スライドファスナーの帯片
３４，３４Ａ…繋ぎ服
３６…ボタン
３８…スライドファスナー
４０…開閉金具
【図１】
0003153850.tif 000003
【図２】
0003153850.tif 000004
【図３】
0003153850.tif 000005
【図４】
0003153850.tif 000006
【図５】
0003153850.tif 000007
【図８】
0003153850.tif 000008
【図１１】
0003153850.tif 000009
【図１３】
0003153850.tif 000010
【図６】
0003153850.tif 000011
【図７】
0003153850.tif 000012
【図９】
0003153850.tif 000013
【図１０】
0003153850.tif 000014
【図１２】
0003153850.tif 000015